(57)【要約】【課題】展示場等の大空間において、冷房個所の変更に対応して補助冷房を効率よく行うことである。【解決手段】冷却機と室内機の組合せ１０は、夜間において冷却機６０と室内機２０とが接続部（３２ａと３２ｂ，３４ａと３４ｂ）で接続され、冷却機６０の冷却部６１で冷却された１次冷媒が１次冷媒循環路７８，２８を経由し室内機２０の蓄熱槽２２に運ばれ蓄熱槽２２に張られた水を冷凍して氷を生成する。昼間になると、冷却機６０より室内機２０が接続部において分離され、室内機２０のみがキャスター５２により所望の冷房個所に移動される。室内機２０では、氷が蓄えられている蓄熱槽２２に設けられる凝縮部と、蒸発器４０とを接続する２次冷媒循環路４２の中を２次冷媒が循環する。室内の高温の空気は、蒸発器４０に触れて冷やされ冷風となって室内に戻され冷房を行うことができる。【選択図】図２
2005201574.tif 000002
【特許請求の範囲】
【請求項１】
冷却機により冷却された１次冷媒により室内機の中間冷媒を冷却し、中間冷媒により２次冷媒を冷却して、室内の温度調節を２次冷媒の熱交換により行う冷却機と室内機との組合せであって、
冷却機に設けられ、１次冷媒を冷却する１次冷媒冷却部と、
室内機に設けられ、２次冷媒を冷却する中間冷媒を収納する蓄熱槽と、
１次冷媒冷却部で冷却された１次冷媒を蓄熱槽に運び、蓄熱槽内の中間冷媒を冷却した１次冷媒を再び１次冷媒冷却部に戻す１次冷媒循環路と、
１次冷媒循環路の途中に設けられ、冷却機側と室内機側とに分離が可能な接続部と、
１次冷媒により蓄熱槽内の中間冷媒が十分に冷却された後に接続部において冷却機から室内機を分離し任意の場所に移動させる移動手段と、
を備えることを特徴とする冷却機と室内機の組合せ。
【請求項２】
請求項１に記載の冷却機と室内機の組合せにおいて、
中間冷媒は水又は氷を含むことを特徴とする冷却機と室内機の組合せ。
【請求項３】
請求項１に記載の冷却機と室内機の組合せにおいて、
２次冷媒は、蓄熱槽に設けられた凝縮部と、室内から取り入れた空気を冷やす蒸発器との間をヒートパイプにより循環することを特徴とする冷却機と室内機の組合せ。
【請求項４】
冷却機により冷却された１次冷媒により室内機の中間冷媒を冷却し、中間冷媒により２次冷媒を冷却して、室内の温度調節を２次冷媒の熱交換により行う冷却機と室内機との組合せにおける室内機であって、
２次冷媒を冷却する中間冷媒を収納する蓄熱槽と、
冷却機で冷却された１次冷媒を受取口で受け取って蓄熱槽に運び、蓄熱槽内の中間冷媒を冷却した１次冷媒を戻し口で冷却機に戻す１次冷媒循環路と、
１次冷媒により蓄熱槽内の中間冷媒が十分に冷却された後に、受取口及び戻し口において冷却機との間の接続を分離し室内機を任意の場所に移動させる移動手段と、
蓄熱槽に設けられた凝縮部と、室内から取り入れた空気を冷やす蒸発器との間で２次冷媒を循環させる２次冷媒循環路と、
を備えることを特徴とする室内機。
【請求項５】
冷却機により冷却された１次冷媒により室内機の中間冷媒を冷却し、中間冷媒により２次冷媒を冷却して、室内の温度調節を２次冷媒の熱交換により行う冷却機と室内機との組合せにおける冷却機であって、
冷却機に設けられ、１次冷媒を冷却する１次冷媒冷却部と、
１次冷媒冷却部で冷却された１次冷媒を供給口において室内機の蓄熱槽側に供給し、蓄熱槽内の中間冷媒を冷却した１次冷媒を受取口で再び受け取る１次冷媒循環路と、
１次冷媒を循環させる循環ポンプと、
を備えることを特徴とする冷却機。
【発明の詳細な説明】
【技術分野】
【０００１】
本発明は冷却機と室内機の組合せ、室内機及び冷却機に係り、特に、展示場等の大空間向けのスポット空調を行う冷却機と室内機の組合せ、室内機及び冷却機に関する。
【背景技術】
【０００２】
近年、広い展示面積を有する大型展示場が各所に設けられ、その広い空間全体を空気調和するためにさまざまな空調システムが用いられる。例えば、広い空間全体を大型の空調機でまかなう方式、パッケージ型のエアコンディショナーを複数箇所に分散して設置する方式等がある。前者の方式では、例えば壁側の三方あるいは四方の壁に空調の吹出しを設けるとしても、展示場の中央部等まで空調された風が到達しにくく、例えば冷房が不十分となり、全体的な効率がよくない。後者の方式では、分散設置されるエアコンディショナーの数が増すにつれ、それぞれの運転条件を監視し、全体を調和よく運転させることが難しくなる。この問題に対し、例えば特許文献１には、複数台の空気調和機を用い、それらの送風ダクトを連通し、各送風ダクトからの風量を調節して、複数台の空気調和機の間における負荷等の調整を可能とする技術が開示される。
【０００３】
なお、冷房方法に関し、特許文献２には氷蓄熱装置を用い、１次冷媒であるガス冷媒の凝縮、蒸発により２次冷媒としてのある種の塩類を加えた水溶液を冷却して氷を生成し、その氷の融解する潜熱を利用して熱交換器により空調を行うことが開示される。
【０００４】
【特許文献１】特開２００３−６５５５９号公報
【特許文献２】特開平６−５０５７６号公報
【発明の開示】
【発明が解決しようとする課題】
【０００５】
上記のように、広い空間全体を空気調和するには、大型の空調機でまかなう方式でも複数のエアコンディショナーを分散配置するにしても十分ではない。そこで、ダクトを分ける分ダクトの利用、補助的なパッケージエアコンディショナーの設置、スポットエアコンディショナーの設置等の補助的な対応が行われる。しかし、大型展示場のような広い展示空間においては、イベント毎にその空間内のブースの設置が変更となるため、補助的な空調にも制約がある。
【０００６】
例えば補助的な冷房について説明すると、分ダクトの利用においては、ダクト設置の空間が必要な上に、イベントに合わせたダクト配置変更が必要となる。補助的なパッケージエアコンディショナーの設置においては、冷媒配管又は冷却水配管、ドレン配管の施工が必要で、常設設置となってしまう。スポットエアコンディショナーの設置においては、凝縮機の設置場所と蒸発機の設置場所とを分離するセパレート型の場合は冷媒配管の常設設置が必要となる。凝縮機と蒸発機とを一体とする一体型の場合は、その設置場所の移動が可能であるが、凝縮機による排熱が会場内に吹出し、室温が上昇し、かえって冷房を妨げることになる。
【０００７】
また、特許文献２に開示される技術においては、氷生成は安価な深夜電力を利用して行い、昼間の冷房時には氷の冷熱を利用するので、氷を生成する氷蓄熱装置の凝縮機の排熱は夜間のみとなる。しかし、この装置では氷を生成する氷蓄熱装置と熱交換器による空調装置とが一体となって大型化し、しかも昼間の冷房時には稼動しない氷蓄熱装置の部分が展示場のスペースを占有することとなり、スペース効率がよくない。
【０００８】
このように、従来技術のものを展示場等の大空間向けのスポット空調として用いると、常設の配管等を要し、あるいは排熱があって却って冷房に不便であり、あるいは冷房時に不稼動部分のスペースを要し、ブース等の冷房個所の変更に対応して効率よい補助冷房を行うことが困難である。
【０００９】
本発明は、かかる従来技術の課題を解決し、冷房個所の変更に対応して補助冷房を効率よく行うことができる冷却機と室内機の組合せ、室内機及び冷却機を提供することである。
【課題を解決するための手段】
【００１０】
上記目的を達成するため、本発明に係る冷却機と室内機の組合せは、冷却機により冷却された１次冷媒により室内機の中間冷媒を冷却し、中間冷媒により２次冷媒を冷却して、室内の温度調節を２次冷媒の熱交換により行う冷却機と室内機との組合せであって、冷却機に設けられ、１次冷媒を冷却する１次冷媒冷却部と、室内機に設けられ、２次冷媒を冷却する中間冷媒を収納する蓄熱槽と、１次冷媒冷却部で冷却された１次冷媒を蓄熱槽に運び、蓄熱槽内の中間冷媒を冷却した１次冷媒を再び１次冷媒冷却部に戻す１次冷媒循環路と、１次冷媒循環路の途中に設けられ、冷却機側と室内機側とに分離が可能な接続部と、１次冷媒により蓄熱槽内の中間冷媒が十分に冷却された後に接続部において冷却機から室内機を分離し任意の場所に移動させる移動手段と、を備えることを特徴とする。
【００１１】
また、中間冷媒は水又は氷を含むことが好ましい。また、２次冷媒は、蓄熱槽に設けられた凝縮部と、室内から取り入れた空気を冷やす蒸発器との間をヒートパイプにより循環することが好ましい。
【００１２】
また、本発明に係る室内機は、冷却機により冷却された１次冷媒により室内機の中間冷媒を冷却し、中間冷媒により２次冷媒を冷却して、室内の温度調節を２次冷媒の熱交換により行う冷却機と室内機との組合せにおける室内機であって、２次冷媒を冷却する中間冷媒を収納する蓄熱槽と、冷却機で冷却された１次冷媒を受取口で受け取って蓄熱槽に運び、蓄熱槽内の中間冷媒を冷却した１次冷媒を戻し口で冷却機に戻す１次冷媒循環路と、１次冷媒により蓄熱槽内の中間冷媒が十分に冷却された後に、受取口及び戻し口において冷却機との間の接続を分離し室内機を任意の場所に移動させる移動手段と、蓄熱槽に設けられた凝縮部と、室内から取り入れた空気を冷やす蒸発器との間で２次冷媒を循環させる２次冷媒循環路と、を備えることを特徴とする。
【００１３】
また、本発明に係る冷却機は、冷却機により冷却された１次冷媒により室内機の中間冷媒を冷却し、中間冷媒により２次冷媒を冷却して、室内の温度調節を２次冷媒の熱交換により行う冷却機と室内機との組合せにおける冷却機であって、冷却機に設けられ、１次冷媒を冷却する１次冷媒冷却部と、１次冷媒冷却部で冷却された１次冷媒を供給口において室内機の蓄熱槽側に供給し、蓄熱槽内の中間冷媒を冷却した１次冷媒を受取口で再び受け取る１次冷媒循環路と、１次冷媒を循環させる循環ポンプと、を備えることを特徴とする。
【発明の効果】
【００１４】
上記構成の少なくとも１つにより、１次冷媒冷却部で冷却された１次冷媒を蓄熱槽に運び、蓄熱槽内の中間冷媒を冷却した１次冷媒を再び１次冷媒冷却部に戻す１次冷媒循環路の途中において、冷却機側と室内機側とに分離が可能な接続部が設けられる。そこで、１次冷媒により中間冷媒が十分に冷却されたのち、接続部において冷却機側と室内機側とに分離し、十分冷却された中間冷媒を収納する蓄熱槽を有する室内機を任意の場所に移動し、中間冷媒で２次冷媒を冷却し、その熱交換で室内の温度調節を行うことができる。したがって、冷却機を別の場所に固定したまま、室内機のみを冷房個所の変更に対応して移動でき、スペース的に効率よく補助冷房を行うことができる。
【００１５】
また、上記構成の少なくとも１つにより、中間冷媒は水、氷を含む。したがって氷が融解して水となるときの潜熱を用いることができ、排熱等の弊害もなく効率よい空調を行うことができる。また、上記構成の少なくとも１つにより、２次冷媒は、凝縮部を蓄熱槽に設け、蒸発部との間をヒートパイプで循環する。したがって、蒸発部における気化熱により室内の空気が冷却され、排熱等の弊害もなく、効率よい空調を行うことができる。
【００１６】
上記のように、本発明に係る冷却機と室内機の組合せ、室内機及び冷却機によれば、冷房個所の変更に対応して補助冷房を効率よく行うことができる。
【発明を実施するための最良の形態】
【００１７】
以下に図面を用いて本発明に係る実施の形態につき詳細に説明する。図１と図２は、冷却機と室内機の組合せ１０の構成を示すもので、図１は、冷却機６０と室内機２０とが一体となって作動しているとき、図２は室内機２０が単独で空調設備として作動しているときの図である。冷却機と室内機の組合せ１０は、冷却機６０により冷却された１次冷媒により室内機２０の中間冷媒２４を冷却し、中間冷媒２４により２次冷媒を冷却して、室内の温度調節を２次冷媒の熱交換により行う機能を有する。そして、冷却機６０と室内機２０との間で１次冷媒を循環させる１次冷媒循環路７８，２８は、その途中に接続部３２，３４を有し、冷却機側と室内機側とに分離することが可能である。具体的には、夜間において図１に示すように冷却機６０と室内機２０とが接続され、冷却機６０を作動させて室内機２０の中間冷媒２４を冷却し、昼間において図２に示すように室内機２０を冷却機６０から分離し、中間冷媒２４を用いた単独の空調設備として作動させる。さらに詳細な作用については、各構成要素の説明の後で述べる。
【００１８】
次に、冷却機と室内機の組合せ１０の詳細構成を冷却機６０と室内機２０に分けて説明する。図３は冷却機６０の部分についてのブロック図である。図１、図２と同様の要素については同一の符号を付した。冷却機６０は、電力を用いて空冷式あるいは水冷式ブラインクーラにより１次冷媒であるブラインを冷却し、室内機２０に設けた蓄熱槽２２に氷を製造する機能を有する製氷機あるいは冷凍機である。ここでブライン（ｂｒｉｎｅ）とは、一般的に冷却システムに用いられる液体を指し、例えば塩化カルシウムあるいは食塩の水溶液が用いられるが、それ以外の冷媒でもよい。
【００１９】
図３において、冷却機６０の冷却部（熱源部）６１は、ブラインクーラ６２−液溜６４−凝縮器６６−オイルセパレータ６８−圧縮器７０−アキュムレータ７２−膨張弁（ＥＰＶ）７４−ブラインクーラ６２の循環路を有する。ブラインクーラ６２において冷却されたブライン（１次冷媒）は、冷却機側の１次冷媒循環路７８を介して室内機２０側に供給され、また室内機２０側から熱交換され暖められたブラインが冷却機側の１次冷媒循環路７８を介してブラインクーラ６２に戻される。冷却機側の１次冷媒循環路７８の途中にはブライン循環ポンプ８０が設けられ、また、冷却機側の１次冷媒循環路７８は分岐してブライン補給タンク７６に接続される。冷却機側の１次冷媒循環路７８の端部は、冷却機６０の外側において、室内機２０にブラインを供給する供給口３２ｂと、室内機２０から戻されるブラインを受け取る受取口３４ｂが設けられる。ブラインクーラ６２と、供給口３２ｂ、受取口３４ｂとの間には開閉バルブ３０が設けられる。
【００２０】
冷却機６０が比較的小型の場合は、図３で説明したように、冷却部６１と、ブライン循環ポンプ８０及びブライン補給タンク７６を一体の設備として構成できる。大型の冷却機のときは、ブライン循環ポンプ８０及びブライン補給タンク７６等を冷却部６１と分離するものとしてもよい。
【００２１】
次に冷却機と室内機の組合せ１０における室内機２０の内部構成を説明する。図４は室内機２０の部分についてのブロック図である。図１、図２と同様の要素については同一の符号を付した。室内機２０は、冷却機６０と協働して水から氷を生成して蓄える中間冷媒蓄積機能と、冷却機６０から切り離された状態において氷が融解して水になるときの潜熱を利用して室内の温度調節を行う機能とを有する移動可能な設備である。冷却機６０と協働して水から氷を生成して蓄えるときには蓄熱槽２２と室内機側の１次冷媒循環路２８が用いられ、室内の温度調節を行うときは、蓄熱槽２２と蒸発器４０と２次冷媒循環路４２及びファン４６が用いられる。室内機２０の移動手段としては、室内ユニットの下部に設けたキャスター５２等を用いることができる。
【００２２】
図３において、蓄熱槽２２は、当初において水を張ったタンクであり、この水は冷却されたブラインにより冷凍されて氷となり、このときには氷タンクとなる。用いられる水には、過冷却を安定させる等のために適当な塩類を添加してもよい。蓄熱槽２２の中には、室内機側の１次冷媒循環路２８がコイル状に配置される。室内機側の１次冷媒循環路２８の端部は、室内機２０の外側において、冷却機６０から冷却されたブラインを受け取る受取口３２ａと、冷却機６０側にブラインを戻す戻し口３４ａが設けられる。室内機側の受取口３２ａは冷却機側の供給口３２ｂと着脱可能に接続でき、室内機側の戻し口３４ａは冷却機側の受取口３４ｂと着脱可能に接続できる。受取口３２ａ、戻し口３４ａの近傍に開閉バルブ３０が設けられる。したがって、室内機側の１次冷媒循環路２８が冷却機側の１次冷媒循環路７８と接続されてブラインがその中を流れると、蓄熱槽２２に収納される水について１次冷媒循環路２８のコイル状の部分等で熱交換が行われ氷が生成される。
【００２３】
蓄熱槽２２は室内機２０の上部に配置されるのが好ましく、その下部には蒸発器４０が設けられ、その間は２次冷媒循環路４２で結ばれる。２次冷媒循環路４２は、中空のパイプで、その中を２次冷媒が流れるヒートパイプである。２次冷媒循環路４２の蓄熱槽２２の中に配置される部分は、凝縮部４４の機能を有し、好ましくは折れ曲がり状またはコイル状とすることがよい。凝縮部４４の部分をヒートパイプと別体の要素として製作し、凝縮部４４と蒸発器４０との間を一対のヒートパイプで接続するものとしてもよい。
【００２４】
２次冷媒としては水、又はＨＦＣ系の単一冷媒を用いることが好ましい。例えばＲ１３４ａとして知られるＨＦＣ系の冷媒を用いることができる。複合冷媒では組成変化が起こることがあるためであるので、その恐れが少ないＨＣＦＣ系の冷媒を用いてもよい。例えばＲ−２２として知られる冷媒を用いることができる。
【００２５】
蒸発器４０は、冷却面を有する部品で、その内部を流れる２次冷媒と空気との間で効率的な熱交換が行われるように熱伝導のよい金属材料で製作され、２次冷媒と空気との間の伝熱面積を大きくとることが好ましい。蓄熱槽２２に氷が生成されているときは、凝縮部４４において２次冷媒が冷やされ、２次冷媒循環路４２を介して蒸発器４０に流れるので、ここで空気と熱交換が行われ、蒸発器４０に接触する空気が冷やされる。空気の熱を奪って暖められた２次冷媒は、２次冷媒循環路４２を介して上方の凝縮部４４に戻り、氷を融解し、その潜熱で冷やされ、自重により下方の蒸発器４０に戻る。つまり、２次冷媒の循環は、気化による上昇と液化による落下を用いた自然循環方式である。
【００２６】
室内機２０の上部に設けられるファン４６は、室内機２０の内部の空気を循環させる機能を有する。それに対応して室内機２０の下部には吸込み口４８が設けられ、上部には送風口５０が設けられる。室内機２０を室内温度調節装置として用いるときにはファン４６を作動させる。これにより、室内の高温の空気が吸込み口４８より室内機２０の中に吸い込まれ、蒸発器４０に触れて冷やされ、その後ファン４６によって送風口５０より冷風となって室内に戻される。このようにして、氷から水への潜熱を利用して室内の温度調節を行うことができる。
【００２７】
次に、２次冷媒の凝縮、蒸発による冷房能力について説明する。蒸発器４０において高温の室内空気により２次冷媒は蒸発し気体冷媒となる。このとき発生する気化熱により空気が冷やされる。このときの冷房能力Ｑは、次の式（１）であらわされる。
Ｑ＝Ａ・ＫI・ΔＩ＝Ｇr・ΔＨ      ・・・（１）
ここで、Ａは伝熱面積、ＫIはエンタルピー差基準熱通過率、ΔＩは対数平均エンタルピー差、Ｇrは冷媒循環量、ΔＨは冷媒エンタルピー差である。式（１）におけるΔＨは、図５に示すＰ（圧力）−ｈ（エンタルピー）線図より求めることができる。図５のΔＰは、凝縮部４４と蒸発器４０との間のヘッド差である。室内機２０の構成から図５を用いてΔＨが求められると、必要な冷房能力Ｑを得るための冷媒循環量Ｇrを求めることができ、これをコントロールすることで、室内の温度調節を行うことができる。
【００２８】
再び図１、図２に戻り、かかる構成の冷却機と室内機の組合せ１０の作用を説明する。夜間においては、図１に示すように、冷却機と室内機の組合せ１０は、冷却機６０と室内機２０とが接続部３２，３４で接続され、冷却機６０の冷却部６１で冷却された１次冷媒が１次冷媒循環路７８，２８を経由して室内機２０の蓄熱槽２２に運ばれて蓄熱槽２２の中の中間冷媒２４である水を冷凍して氷を生成する。氷生成については、氷結センサ、氷厚センサ等を用い、あるいはタイマーを用いて、所望の量の氷を生成し、冷却機６０の作動を終了させることができる。
【００２９】
そして、昼間の冷房を要するときには、図２に示すように、冷却機６０と室内機２０とが接続部において分離され、室内機２０に備えられたキャスター５２を用いて所望の冷房個所に移動される。そこで電源が接続される。電源としてはファン４６の作動用のものでよい。蓄熱槽２２には十分な量の氷が生成されているので、２次冷媒は凝縮部において冷却され蒸発器４０に運ばれている。したがって蒸発器４０の表面は十分に冷えている。ここでファン４６を作動させると、室内の高温の空気が吸込み口４８より室内機２０の内部に吸い込まれ、蒸発器４０に触れて冷やされ、ファン４６により送風口５０から冷風となって室内に戻される。一方、蒸発器４０においては、高温の空気によって２次冷媒は蒸発して気化冷媒となる。気化冷媒は２次冷媒循環路４２を介して蓄熱槽２２の中の凝縮部に移動し、そこで中間冷媒の潜熱により再び冷却され、自然循環により蒸発器４０に戻る。このように夜の間に生成された氷を用い、その潜熱の利用により冷房を行うことができる。室内の空気の温度調節は、式（１）等に従い、２次冷媒の循環量の調節等によって行うことができる。
【００３０】
このようにして、冷却機６０の設置場所は動かさず、冷房個所には室内機２０のみを移動し、そこで所望の冷房を行うことができる。昼間の冷房により、２次冷媒が循環して蓄熱槽２２の中の中間冷媒を氷から水に変えてゆく。そして、夕方となり、冷房を必要としなくなると、室内機２０はファン４６の作動を停止し、電源が外され、キャスター５２を用いて再び冷却機６０の設置場所にもどる。そして接続部３２，３４において１次冷媒循環路２８，７８が接続され、冷却機６０を作動させる。そして電力料金の安い夜の間に、蓄熱槽２２の中の中間冷媒を水から氷に変え、所望量の氷を生成し、次の昼間の冷房に備える。
【００３１】
このように、冷房個所においては室内機のスペースのみを確保すればよいので、展示場等の空間利用の面で効率がよい。また、室温調節のためにはファンの作動だけでよく、冷房期間における電力消費を少なくできる。また、２次冷媒の循環には自然循環方式を用いているので、特別な循環装置を要せず騒音等の発生や、排熱を伴わず快適である。また、冷房中における凝縮部の発熱は氷により冷やされるので、室内への排熱により冷房の効率が低下することがない。
【図面の簡単な説明】
【００３２】
【図１】本発明に係る実施の形態において、冷却機と室内機とが一体となって作動しているときの構成を示す図である。
【図２】本発明に係る実施の形態において、室内機が単独で空調設備として作動しているときの構成を示す図である。
【図３】本発明に係る実施の形態において、冷却機の部分についてのブロック図である。
【図４】本発明に係る実施の形態において、室内機の部分についてのブロック図である。
【図５】凝縮と蒸発を用いるときの圧力−エンタルピー線図の例である。
【符号の説明】
【００３３】
１０  冷却機と室内機の組合せ、２０  室内機、２２  蓄熱槽、２４  中間冷媒、２８，７８  １次冷媒循環路、３０  開閉バルブ、３２，３４  接続部、３２ａ，３４ｂ  受取口、３２ｂ  供給口、３４ａ  戻し口、４０  蒸発器、４２  ２次冷媒循環路、４４  凝縮部、４６  ファン、４８  吸込み口、５０  送風口、５２  キャスター、６０  冷却機、６１  冷却部、６２  ブラインクーラ、６４  液溜、６６  凝縮器、６８  オイルセパレータ、７０  圧縮器、７２  アキュムレータ、７６  ブライン補給タンク、８０  ブライン循環ポンプ。
【図１】
2005201574.tif 000003
【図２】
2005201574.tif 000004
【図３】
2005201574.tif 000005
【図４】
2005201574.tif 000006
【図５】
2005201574.tif 000007